(57)【要約】【課題】プラントの各部のセンシング値に基づいて当該箇所の正常異常を他の箇所の状態との関連性から適正に判定してユーザに容易に知らせることができるようにする。【解決手段】プラントの各部の状態を検知するセンサの出力信号に基づくセンシングデータを取り込み、プラントの各部と当該各部に対応する取り込んだセンシングデータに基づくセンシング値とを対応付けて予め決められた体系で表示装置に表示する。この際、プラントの各部のセンシングデータが基準値範囲に収まっているかどうかを判定する第１の処理（ステップＳ１０１）と、当該センシングデータを条件に照らして正常とすべきか異常とすべきかを判定する第２の処理（ステップＳ１０６）とを実行し、第１の処理によって得た判定結果と第２の処理によって得た判定結果とを表示装置に表示するようにした。【選択図】図１２
2008181269.tif 000002
【特許請求の範囲】
【請求項１】
情報処理を実行する情報処理部と、
情報を操作入力する操作装置と、
情報を表示する表示装置と、
前記情報処理部が、プラントの各部の状態を検知するセンサの出力信号に基づくセンシングデータを取り込む手段と、
前記情報処理部が、前記プラントの各部と当該各部に対応する前記取り込んだセンシングデータに基づくセンシング値とを対応付けて予め決められた体系で前記表示装置に表示する手段と、
前記情報処理部が、情報を記憶する記憶部にアクセスし、当該記憶部に前記プラントの各部に対応させて記憶されている当該各部についての基準値範囲と前記センシング値を正常又は異常と判定すべき条件とを取得する手段と、
前記情報処理部が、前記取り込んだ前記プラントの各部のセンシングデータが前記取得した対応する基準値範囲に収まっているかどうかを判定する第１の処理と、当該センシングデータを前記取得した対応する条件に照らして正常とすべきか異常とすべきかを判定する第２の処理とを実行する手段と、
前記情報処理部が、前記第１の処理によって得た判定結果と前記第２の処理によって得た判定結果とを前記表示装置に表示する手段と、
を備えるプラント監視業務支援装置。
【請求項２】
前記記憶部から取得する前記センシング値を正常と判定すべき条件は、前記基準範囲を外れているにも拘らず正常と判定すべき条件である、請求項１記載のプラント監視業務支援装置。
【請求項３】
前記記憶部から取得する前記センシング値を異常と判定すべき条件は、前記基準範囲内であるにも拘らず異常と判定すべき条件である、請求項１又は２記載のプラント監視業務支援装置。
【請求項４】
前記第１の処理及び前記第２の処理によって得られた判定結果は、対応する前記センシング値の表示態様を互いに異ならせ、かつ、他の前記センシング値の表示態様とそれぞれ異ならせることによって表示される、請求項１ないし３のいずれか一記載のプラント監視業務支援装置。
【請求項５】
前記情報処理部が、前記第２の処理で参照する前記取得した対応する条件に含まれる前記プラントの他の各部を関連項目として前記表示装置に表示する手段を備える、請求項１ないし４のいずれか一記載のプラント監視業務支援装置。
【請求項６】
前記関連項目の表示は、対応する他の各部の前記センシング値を他の前記センシング値の表示態様と異ならせることによって表示される、請求項５記載のプラント監視業務支援装置。
【請求項７】
前記関連項目は、前記操作装置での表示指示操作に応じて選択的に表示される、請求項５又は６記載のプラント監視業務支援装置。
【請求項８】
前記関連項目は、前記操作装置で選択指定した前記プラントの各部に対応するものだけが表示される、請求項７記載のプラント監視業務支援装置。
【請求項９】
前記関連項目は、一覧リストとして表示される、請求項７記載のプラント監視業務支援装置。
【請求項１０】
情報処理を実行する情報処理部と、情報を操作入力する操作装置と、情報を表示する表示装置と、を備えるコンピュータにインストールされ、当該コンピュータの前記情報処理部に、
プラントの各部の状態を検知するセンサの出力信号に基づくセンシングデータを取り込む機能と、
前記プラントの各部と当該各部に対応する前記取り込んだセンシングデータに基づくセンシング値とを対応付けて予め決められた体系で前記表示装置に表示する機能と、
情報を記憶する記憶部にアクセスし、当該記憶部に前記プラントの各部に対応させて記憶されている当該各部についての基準値範囲と前記センシング値を正常又は異常と判定すべき条件とを取得する機能と、
前記取り込んだ前記プラントの各部のセンシングデータが前記取得した対応する基準値範囲に収まっているかどうかを判定する第１の処理と、当該センシングデータを前記取得した対応する条件に照らして正常とすべきか異常とすべきかを判定する第２の処理とを実行する機能と、
前記第１の処理によって得た判定結果と前記第２の処理によって得た判定結果とを前記表示装置に表示する機能と、
を実行させるプラント監視業務支援用コンピュータプログラム。
【発明の詳細な説明】
【技術分野】
【０００１】
本発明は、例えば発電設備等のようなプラントの各部についてのセンシング値に異常が生じたことを知らせることでプラント監視業務を支援するプラント監視業務支援装置及びプラント監視業務支援用コンピュータプログラムに関する。
【背景技術】
【０００２】
各種の発電設備等のようなプラントでは、プラントの各部について監視が必要である。監視は、一般的には、プラントの各部のセンシング値をモニタ上で確認することにより行なわれる。
【０００３】
プラントの各部のセンシング値が正常であるか異常であるかは、当該各部の基準値との比較を通じて把握される。このため、そのような基準値をまとめたリストを用意しておき、センシング値が正常であるか異常であるかの判断に役立てるようにしている。この場合、習熟した監視者であれば、そのようなリストを参照するまでもなくモニタ上に表示されたセンシング値の正常異常を円滑に判定することができよう。ところが、監視業務に習熟していない監視者にとっては、モニタ上に表示されているセンシング値とリストに記載されている基準値とを照合させなければ適正な判定をなすことができず、その作業は容易でないという問題がある。
【０００４】
このようなことから、異常なセンシング値を表示し、一見して異常の発生をわからせることができるようにした発明がなされている。例えば、特許文献１には、異常が生じている監視データを表示装置に表示し、そればかりでなくプラントの機能を細分化した機能要素を機能的因果関係で階層に分けて表示し、こうして表示される機能要素の異常と共に表示するようにした発明が開示されている。
【０００５】
【特許文献１】特開平０７−３２０１７４号公報
【特許文献２】特開２００６−０３９７８６公報
【発明の開示】
【発明が解決しようとする課題】
【０００６】
しかしながら、プラントの各部のセンシング値の正常異常の判定は、他の箇所の状態との関連性で変動させるべきことがある。例えば、ある箇所のセンシング値が正常範囲とすべき規定範囲から外れている場合であっても、現実には、関連他所の状態によっては特段の異常でない場合があり得る。逆に、ある箇所のセンシング値が正常範囲に含まれている場合であっても、現実には、関連他所の状態によっては異常と判定すべき場合もあり得る。このような関連他所の状態との関連性から本当に異常とすべきかどうか、あるいは、本当に正常とすべきかどうかの判定は、監視業務に相当程度習熟しなければ適性になし得ないという問題がある。
【０００７】
なお、特許文献２には、プラントデータに相関のあるデータを効率的に抽出・加工して、正常な範囲に潜んでいる微細な異常の兆候を発見することを課題とする発明が記載されている。
【０００８】
本発明の目的は、プラントの各部のセンシング値に基づいて当該箇所の正常異常を他の箇所の状態との関連性から適正に判定してユーザに容易に知らせることができるようにすることである。
【課題を解決するための手段】
【０００９】
本発明のプラント監視業務支援装置は、情報処理を実行する情報処理部と、情報を操作入力する操作装置と、情報を表示する表示装置と、を備え、前記情報処理部が、（１）プラントの各部の状態を検知するセンサの出力信号に基づくセンシングデータを取り込み、（２）前記プラントの各部と当該各部に対応する前記取り込んだセンシングデータに基づくセンシング値とを対応付けて予め決められた体系で前記表示装置に表示し、（３）情報を記憶する記憶部にアクセスし、当該記憶部に前記プラントの各部に対応させて記憶されている当該各部についての基準値範囲と前記センシング値を正常又は異常と判定すべき条件とを取得し、（４）前記取り込んだ前記プラントの各部のセンシングデータが前記取得した対応する基準値範囲に収まっているかどうかを判定する第１の処理と、当該センシングデータを前記取得した対応する条件に照らして正常とすべきか異常とすべきかを判定する第２の処理とを実行し、（５）前記第１の処理によって得た判定結果と前記第２の処理によって得た判定結果とを前記表示装置に表示するようにした。
【００１０】
本発明のプラント監視業務支援用コンピュータプログラムは、情報処理を実行する情報処理部と、情報を操作入力する操作装置と、情報を表示する表示装置と、を備えるコンピュータにインストールされ、当該コンピュータの前記情報処理部に、（１）プラントの各部の状態を検知するセンサの出力信号に基づくセンシングデータを取り込む機能と、（２）前記プラントの各部と当該各部に対応する前記取り込んだセンシングデータに基づくセンシング値とを対応付けて予め決められた体系で前記表示装置に表示する機能と、（３）情報を記憶する記憶部にアクセスし、当該記憶部に前記プラントの各部に対応させて記憶されている当該各部についての基準値範囲と前記センシング値を正常又は異常と判定すべき条件とを取得する機能と、（４）前記取り込んだ前記プラントの各部のセンシングデータが前記取得した対応する基準値範囲に収まっているかどうかを判定する第１の処理と、当該センシングデータを前記取得した対応する条件に照らして正常とすべきか異常とすべきかを判定する第２の処理とを実行する機能と、（５）前記第１の処理によって得た判定結果と前記第２の処理によって得た判定結果とを前記表示装置に表示する機能と、を実行させる。
【発明の効果】
【００１１】
本発明によれば、プラントの各部のセンシング値に基づいて当該箇所の正常異常を他の箇所の状態との関連性から適正に判定してユーザに容易に知らせることができる。
【発明を実施するための最良の形態】
【００１２】
本発明の実施の一形態を図１ないし図１４に基づいて説明する。
【００１３】
図１は、本発明の実施の一形態を示すプラント監視業務支援装置及びその周辺機器のブロック図である。例えば火力発電設備等の図示しないプラントを制御する制御装置１０１が設けられている。この制御装置１０１は、プラントを構成する各部を駆動制御し、駆動制御される各部の稼働状態をセンシングする。そのために、制御装置１０１には、プラントを構成する各部を駆動制御するためのアクチュエータ１０２及びモータ１０３が接続され、駆動制御される各部の稼働状態をセンシングするためのセンサ１０４が接続されている。
【００１４】
制御装置１０１に駆動制御されるプラントの状態は、監視装置１０５によって監視可能に構成されている。監視装置１０５は、コンピュータ構成の演算装置１０６に操作装置としての操作盤１０７と表示装置として表示盤１０８、そして印字装置１０９が接続されて構成されている。
【００１５】
演算装置１０６は、コンピュータ構成であるが故に、情報処理部１０６ａと記憶部１０６ｂとを基本構成として有している。このような演算装置１０６は、集積回路化したファームウェア構成のものであっても良く、例えばＨＤＤ等にコンピュータプログラムを自由にインストールすることができてインストールされたコンピュータプログラムを例えばＲＡＭ等にコピーしてＣＰＵがＲＡＭ等にコピーしたコンピュータプログラムに従った処理を実行する構成のものであっても良い。いずれであっても、本実施の形態の演算装置１０６は、プラント監視業務支援用のコンピュータプログラムを保持している。
【００１６】
操作盤１０７は、演算装置１０６に情報を入力する構造を有している。より詳細には、操作盤１０７は、キーボード、各種操作ボタン、ポインティングデバイス、タッチパネル等から構成することができ、押下されたりクリックされたりタッチされたりすることによって、対応する信号を演算装置１０６に出力する。
【００１７】
表示盤１０８は、演算装置１０６に駆動制御されて情報を表示出力する構造を有している。表示盤１０８は、ＣＲＴディスプレイ、液晶ディスプレイ等によって構成することができる。
【００１８】
印字装置１０９は、表示盤１０８に表示された内容を演算装置１０６からの印刷指示に応じて印字出力する。このような印字装置１０９としては、静電写真方式、インクジェット方式等、如何なる形式のものが用いられても良い。
【００１９】
図２は、記憶部１０６ｂに記憶されているプラント（ボイラ）の各部についての基準値等のデータを含む基準データファイルを例示する模式図、図３は、記憶部１０６ｂに記憶されているプラント（タービン）の各部についての基準値等のデータを含む基準データファイルを例示する模式図、図４は、記憶部１０６ｂに記憶されているプラント（電気系）の各部についての基準値等のデータを含む基準データファイルを例示する模式図である。
【００２０】
図２〜図４に示す各部の基準データは、基準データファイル２０１の形態で記憶部１０６ｂに記憶されている。基準データファイル２０１は、プラントの各部を特定する識別コード２０１ａに当該各部の名称を表現するテキストデータ２０１ｂと基準値セットデータ２０１ｃとを対応付けて記憶している。本実施の形態の場合、プラントとして火力発電設備を想定している。それ故に、一例ではあるが、基準データファイル２０１は、４００ＭＷ時、３００ＭＷ時、２００ＭＷ時、１２０ＭＷ時におけるそれぞれの基準値セットデータ２０１ｃを保持している。
【００２１】
図５は、基準値セットデータ２０１ｃの詳細を示す模式図である。基準値セットデータ２０１ｃは、個々のプラントの各部を特定する識別コード２０１ａに対応付けて、基準値２０１ｃ−１と基準値範囲２０１ｃ−２と正常と判定すべき条件２０１ｃ−３と異常と判定すべき条件２０１ｃ−４とを規定している。
【００２２】
基準値２０１ｃ−１は、当該プラントの各部において基準となるべき一意の値である。
【００２３】
基準値範囲２０１ｃ−２は、基本的には、基準値２０１ｃ−１の値を含む正常と判定すべき範囲を規定する（図５中、Ｓとして示す）。その他、基準値範囲２０１ｃ−２には、当該範囲よりも下回っている範囲（図５中、ＵｎｄｅｒＳとして示す）及び当該範囲よりも上回っている範囲（図５中、ＵｐｐｅｒＳとして示す）も規定されている。
【００２４】
正常と判定すべき条件２０１ｃ−３は、基準値範囲２０１ｃ−２中、基準値の範囲Ｓよりも下回っている範囲ＵｎｄｅｒＳの値と、基準値の範囲Ｓよりも上回っている範囲ＵｐｐｅｒＳの値とについて、正常と判定すべき条件を規定している。表１及び表２には、当該条件２０１ｃ−３の一例を示す。
【００２５】
【表１】
2008181269.tif 000003
【００２６】
【表２】
2008181269.tif 000004
【００２７】
表１では、ボイラのＳＨスプレイ流量について例示している。ボイラのＳＨスプレイ流量は、その基準値が５１．９であり（基準値２０１ｃ−１で定義）、２０は本来的には異常値である。これに対して、表１中の「判断要素」で定義されている条件が整えば、正常と判断し得る。
【００２８】
表２では、ボイラの燃料油バーナ圧力について例示している。ボイラの燃料油バーナ圧力は、その基準値が１．９４であり（基準値２０１ｃ−１で定義）、２．１や１．８は本来的には異常値である。これに対して、表２中の「判断要素」で定義されている条件が整えば、正常と判断し得る。
【００２９】
したがって、正常と判定すべき条件２０１ｃ−３には、表１及び表２中の「判断要素」で定義されているような条件が包括的に定義されている。
【００３０】
異常と判定すべき条件２０１ｃ−４は、基準値範囲２０１ｃ−２中、基準値２０１ｃ−１の値を含む正常と判定すべき範囲Ｓに収まっていながら、異常と判定すべき条件について規定している。表３〜表５には、当該条件２０１ｃ−４の一例を示す。
【００３１】
【表３】
2008181269.tif 000005
【００３２】
【表４】
2008181269.tif 000006
【００３３】
【表５】
2008181269.tif 000007
【００３４】
表３では、タービンの軸冷水クーラ出口軸冷水温度について例示している。タービンの軸冷水クーラ出口軸冷水温度は、その基準値が１９．８であるのに対して（基準値２０１ｃ−１で定義）、表３中の「判断要素」で定義されている条件の下では、異常と判断すべきである。
【００３５】
表４では、タービンのタービン油冷却器出口油温度について例示している。タービンのタービン油冷却器出口油温度は、その基準値が３８．２であるのに対して（基準値２０１ｃ−１で定義）、表４中の「判断要素」で定義されている条件の下では、異常と判断すべきである。
【００３６】
表５では、ボイラのＡ，Ｂ−ＧＭＦ入口ダンパ開度について例示している。ボイラのＡ，Ｂ−ＧＭＦ入口ダンパ開度は、その基準値が１４〜１５であるのに対して（基準値２０１ｃ−１で定義）、表５中の「判断要素」で定義されている条件の下では、異常と判断すべきである。
【００３７】
したがって、異常と判定すべき条件２０１ｃ−４には、表３〜表５中の「判断要素」で定義されているような条件が包括的に定義されている。
【００３８】
図６は、表示盤１０８に表示されるプラントの各部のセンシング値の監視画面の一例を示す模式図である。図７は、表示盤１０８に表示されるプラント（ボイラ）の各部のセンシング値の表示例（その一）を示す模式図である。図８は、表示盤１０８に表示されるプラント（ボイラ）の各部のセンシング値の表示例（その二）を示す模式図である。図９は、表示盤１０８に表示されるプラント（タービン）の各部のセンシング値の表示例（その一）を示す模式図である。図１０は、表示盤１０８に表示されるプラント（タービン）の各部のセンシング値の表示例（その二）を示す模式図である。図１１は、表示盤１０８に表示されるプラント（電気系）の各部のセンシング値の表示例を示す模式図である。
【００３９】
演算装置１０６は、その記憶部１０６ｂに、各種処理（例えば、後述する図１２及び図１７に示すフローチャートの処理等）を情報処理部１０６ａに実行させるコンピュータプログラム（プラント監視業務支援用のコンピュータプログラム）を記憶している。そこで、情報処理部１０６ａは、記憶部１０６ｂに記憶されているコンピュータプログラムに従い各種処理を実行する。演算装置１０６が実行する基本処理は、プラントである火力発電設備の各部の状態を検知するセンサ１０４の出力信号に基づくセンシングデータを制御装置１０１から取得して取り込む処理、及び、プラントの各部と当該各部に対応する取り込んだセンシングデータに基づくセンシング値とを対応付けて予め決められた体系で表示盤１０８に表示する処理である。
【００４０】
その結果、表示盤１０８には、図６に例示するような監視画面３０１が表示される。そして、図６を参照することで明らかなように、監視画面３０１には、プラントの各部を特定する識別コード３０１ａに当該各部の名称３０１ｂとセンシング値３０１ｃとが対応付けて表示されている。これが、「予め決められた体系」である。そして、このような予め決められた体系の基礎をなすデータ（識別コード３０１ａ及び名称３０１ｂ）は、図２〜図４に示す基準データファイル２０１中の識別コード２０１ａ及びテキストデータ２０１ｂから引用されている。また、監視画面３０１には、稼動中のプラントの現在における出力値３０１ｄも表示されている。
【００４１】
また、本実施の形態では、ボイラについては二画面、タービンについても二画面、電気系については一画面でその監視画面３０１が表示される。そこで、監視画面３０１には、現在表示しいているのがどの画面なのかを示す対象画面インジケータ３０１ｅが表示されている。対象画面インジケータ３０１ｅは、ボイラについての「１／２」及び「２／２」、タービンについての「１／２」及び「２／２」、電気系についての「１／１」という表示形態で、監視画面３０１に現在表示されている対象を示す。また、対象画面インジケータ３０１ｅは、操作盤１０７での操作によって選択指定可能なオブジェクトとしても表示されている。そこで、操作盤１０７の操作によって選択指定することで、ボイラ「１／２」、ボイラ「２／２」、タービン「１／２」、タービン「２／２」、電気系「１／１」のいずれか一つを選択することができる。情報処理部１０６ａは、選択指定されたページを監視画面３０１に表示する。
【００４２】
加えて、監視画面３０１には、「他業務」と表示されている他業務選択ボタン３０１ｆも表示されている。この他業務選択ボタン３０１ｆは、操作盤１０７での操作によって選択指定可能なオブジェクトである。したがって、情報処理部１０６ａは、操作盤１０７の操作によって他業務選択ボタン３０１ｆを選択指定すると、プラントの各部を監視するための監視画面３０１を他業務選択画面（図示せず）に切り替える。
【００４３】
監視者は、表示盤１０８に表示される監視画面３０１を参照することで、識別コード３０１ａ及び名称３０１ｂによって特定されるプラントの各部についてのセンシング値３０１ｃを参照することができる。そして、センシング値に基づいて、プラントの稼働状況の正常異常を判断することが可能となる。
【００４４】
ここで、監視画面３０１に表示されるプラントの各部のセンシング値が正常であるか異常であるかは、当該各部の基準値（図５中の基準値２０１ｃ−１を参照）との比較を通じて把握される。このため、習熟した監視者であれば、監視画面３０１上に表示されたセンシング値の正常異常を円滑に判定することができよう。ところが、監視業務に習熟していない監視者にとっては、監視画面３０１上に表示されているセンシング値が基準値に対して正常なのか異常なのかを適正に判定することが容易ではない。とりわけ、プラントの各部のセンシング値の正常異常の判定は、他の箇所の状態との関連性で変動させるべきことがある。例えば、ある箇所のセンシング値が正常範囲とすべき規定範囲から外れている場合であっても、現実には、関連他所の状態によっては特段の異常でない場合があり得る。逆に、ある箇所のセンシング値が正常範囲に含まれている場合であっても、現実には、関連他所の状態によっては異常と判定すべき場合もあり得る。つまり、センシングが正常なのか異常なのかの判定は、単に基準値に対する一致性だけで論じられる問題ではなく、このことが適正判定の困難さに一層の拍車をかけている。そこで、本実施の形態のプラント監視業務支援装置は、そのような監視業務の困難性を緩和させ得る各種の方策を含んでいる。以下、そのような方策について説明する。
【００４５】
図１２は、各項目の表示態様を設定する処理の流れを示すフローチャートである。まず、情報処理部１０６ａは、第１の処理を実行する。つまり、基準データファイル２０１中の識別コード２０１ａで特定されるプラントの各部についてセンシング値を取り込んだならば、そのセンシング値が図５に例示する基準値セットデータ２０１ｃ中の基準値範囲２０１ｃ−１に収まっているかどうかを判定する（ステップＳ１０１）。この判定の結果、取り込んだセンシングデータが基準値範囲２０１ｃ−１に収まっている場合には（ステップＳ１０１のＹ）、該当するプラントの各部を特定する識別コード２０１ａに対応付けて基準値範囲内であることを記憶部１０６ｂに一時記憶する（ステップＳ１０２）。これに対して、取り込んだセンシングデータが基準値範囲２０１ｃ−１に収まっていない場合には（ステップＳ１０１のＮ）、該当するプラントの各部を特定する識別コード２０１ａに対応付けて基準値範囲を外れていることを記憶部１０６ｂに一時記憶する（ステップＳ１０３）。
【００４６】
次いで、情報処理部１０６ａは、関連項目のデータを抽出する（ステップＳ１０４）。この関連項目のデータは、図５に例示する基準値セットデータ２０１ｃ中の正常と判定すべき条件２０１ｃ−３又は異常と判定すべき条件２０１ｃ−４とに定義されている条件を参照し、当該条件に対応する項目のデータである。この項目のデータは、他の箇所のセンシングデータや、プラントの各種設定データ等から引用することができる。
【００４７】
次いで、情報処理部１０６ａは、第２の処理を実行する。つまり、ステップＳ１０４で抽出した関連項目のデータを参照し、評価対象となっている取り込んだセンシングデータの正常異常を再評価する（ステップＳ１０５）。つまり、ステップＳ１０２で基準値範囲内であると一時記憶されたセンシングデータの場合、図５に例示する基準値セットデータ２０１ｃ中の異常と判定すべき条件２０１ｃ−４に定義されている条件を参照し、この条件に該当するかどうかを判定する。判定の結果、当該条件に該当しなければ「正常項目」、当該条件に該当すれば「異常項目とする項目」と判定される（ステップＳ１０６）。また、ステップＳ１０３で基準値範囲を外れていると一時記憶されたセンシングデータの場合、図５に例示する基準値セットデータ２０１ｃ中の正常と判定すべき条件２０１ｃ−３に定義されている条件を参照し、この条件に該当するかどうかを判定する。判定の結果、当該条件に該当すれば「正常項目とする項目」、当該条件に該当しなければ「異常項目とする項目」と判定される（ステップＳ１０６）。
【００４８】
そこで、情報処理部１０６ａは、ステップＳ１０６の判定の結果、「正常項目」又は「正常項目とする項目」と判定したセンシング値については、その旨をステップＳ１０４で抽出した関連項目と共に記憶部１０６ｂに一時記憶する（ステップＳ１０７）。これに対して、「異常項目とする項目」と判定したセンシング値については、その旨をステップＳ１０４で抽出した関連項目と共に記憶部１０６ｂに一時記憶する（ステップＳ１０８）。
【００４９】
そして、情報処理部１０６ａは、ステップＳ１０７又はステップＳ１０８での記憶部１０６ｂにおける一時記憶内容に従い、監視画面３０１中の文字のプロパティの設定処理を実行する（ステップＳ１０９）。この際に参照するのが、記憶部１０６ｂに記憶されている表示態様ファイル２５１である。
【００５０】
図１３は、各項目の表示態様を決定する際に参照すべき表示態様ファイル２５１の一例を示す模式図である。表示態様ファイル２５１は、正常項目２５１ａでの文字のプロパティと正常項目とする項目２５１ｂでの文字のプロパティと異常項目とする項目２５１ｃでの文字のプロパティとを規定している。正常項目２５１ａについては、文字のプロパティとして「黒」という色が規定されている。正常項目とする項目２５１ｂ及び異常項目とする項目２５１ｃでの文字のプロパティは、監視画面３０１中に表示する項目順位２５１ｄ毎に定められている。例えば、正常項目とする項目２５１ｂでは、表示する項目順位２５１ｄが「１」の場合には「赤＋強調表示」でその関連項目が「赤＋強調表示＋点滅表示」というプロパティが規定されており、表示する項目順位２５１ｄが「２」の場合には「青＋強調表示」でその関連項目が「青＋強調表示＋点滅表示」というプロパティが規定されている。同様に、表示する項目順位２５１ｄが「３」の場合には「黄＋強調表示」でその関連項目が「黄＋強調表示＋点滅表示」というプロパティが規定されており、表示する項目順位２５１ｄが「４」の場合には「緑＋強調表示」でその関連項目が「緑＋強調表示＋点滅表示」というプロパティが規定されている。また、異常項目とする項目２５１ｃでは、表示する項目順位２５１ｄが「１」の場合には「赤」でその関連項目が「赤＋点滅表示」というプロパティが規定されており、表示する項目順位２５１ｄが「２」の場合には「青」でその関連項目が「青＋点滅表示」というプロパティが規定されている。同様に、表示する項目順位２５１ｄが「３」の場合には「黄」でその関連項目が「黄＋点滅表示」というプロパティが規定されており、表示する項目順位２５１ｄが「４」の場合には「緑」でその関連項目が「緑＋点滅表示」というプロパティが規定されている。
【００５１】
図１４は、図１３に例示する表示態様ファイル２５１に従った画面表示の一例を示す模式図である。
【００５２】
図１４（ａ）に示す監視画面３０１は、操作盤１０７によってタービン「１／２」が選択指定された結果として表示されるタービン（その一）の各部のセンシング値３０１ｃを示している（図９中のタービンの表示例（その一）参照）。その監視画面３０１には、項目Ａ、項目Ａ´、項目Ｂ、項目Ｂ´が示されている。項目Ａは項目Ｂよりも上に表示されている。つまり、項目順位が高い。そして、項目Ａは、図１２中のステップＳ１０６で異常とすべきであると判定された項目である。項目Ａ´は、図１２中のステップＳ１０４で項目Ａの関連項目として抽出された項目である。したがって、情報処理部１０６ａは、図１２中のステップＳ１０９で図１３に示す表示態様ファイル２５１を参照し、項目Ａについては「青」というプロパティ、項目Ａ´については「青＋点滅」というプロパティを設定する。また、項目Ｂは、図１２中のステップＳ１０６で異常とすべきでないと判定された項目である。項目Ｂ´は、図１２中のステップＳ１０４で項目Ｂの関連項目として抽出された項目である。したがって、情報処理部１０６ａは、図１２中のステップＳ１０９で図１３に示す表示態様ファイル２５１を参照し、項目Ｂについては「黄＋強調」というプロパティ、項目Ｂ´については「黄＋強調＋点滅」というプロパティを設定する。その他の項目は正常項目なので、図１３に示す表示態様ファイル２５１に基づいて「黒」というプロパティが例えばデフォルト設定されている。その結果、図１４（ａ）に示すように、項目Ａ、項目Ａ´、項目Ｂ、項目Ｂ´の名称３０１ｂ及びセンシング値３０１ｃは、他の項目と異なる態様で表示されている。つまり、項目Ａは青色で、項目Ａ´は青色の点滅表示で、項目Ｂは黄色の強調表示で、項目Ｂ´は黄色の強調表示の点滅表示で、それぞれ示される。図１４（ａ）中では、青色である項目Ａは太線表示で、青色の点滅表示である項目Ａ´は太線＋点滅表示で、黄色の強調表示である項目Ｂはハッチング表示で、黄色の強調表示の点滅表示である項目Ｂ´はハッチング＋点滅表示で、それぞれ示している。
【００５３】
したがって、監視画面３０１を監視するオペレータは、監視画面３０１に表示される各項目のセンシング値３０１ｃについて、基準値範囲（図５中の基準値範囲２０１ｃ参照）に収まっているのか、基準値範囲を外れているが正常とすべき値なのか、基準値範囲を外れている上に異常とすべき値なのかを、一目瞭然で知ることができる。しかも、基準値範囲を外れているが正常とすべき値及び基準値範囲を外れている上に異常とすべき値は、図５に示す基準値セットデータ２０１ｃ中の正常と判定すべき条件２０１ｃ−３及び異常と判定すべき条件２０１ｃ−４を参照して図１２の中のステップＳ１０４で抽出された関連項目のセンシング値３０１ｃとの関係で決定される。そこで、関連項目として抽出された項目についても、基準値範囲を外れているが正常とすべき値については同一色の強調表示の点滅表示で、基準値範囲を外れている上に異常とすべき値については同一色の点滅表示で、それぞれ関連項目であることが示される。
【００５４】
ここで、図１４（ａ）に示す監視画面３０１中、表示の項目順位が高い項目Ａは赤色ではなく青色で示されており、次に表示の項目順位が高い項目Ｂは青色ではなく黄色で示されている。図１３に示す表示態様ファイル２５１を参照すると、青色は項目順位第２位であり、黄色は項目順位第３位である。このことは、更に高い項目順位を有する項目があることを意味している。図１４に示す例では、最も高い項目順位は、ボイラ「２／２」に含まれている。
【００５５】
図１４（ｂ）に示す監視画面３０１は、操作盤１０７によってボイラ「２／２」が選択指定された結果として表示されるボイラ（その二）の各部のセンシング値３０１ｃを示している（図８中のボイラの表示例（その二）参照）。図１４（ｂ）に示す監視画面３０１には、項目Ｃが示されている。項目Ｃは、図１２中のステップＳ１０６で異常とすべきでないと判定された項目である。項目Ｃ´は、図１２中のステップＳ１０４で項目Ｃの関連項目として抽出された項目である。したがって、情報処理部１０６ａは、図１２中のステップＳ１０９で図１３に示す表示態様ファイル２５１を参照し、項目Ｃについては「赤＋強調」というプロパティ、項目Ｃ´については「赤＋強調＋点滅」というプロパティを設定する。その結果、図１４（ｂ）に示すように、項目Ｃ、項目Ｃ´の名称３０１ｂ及びセンシング値３０１ｃは、他の項目と異なる態様で表示されている。つまり、項目Ｃは赤色の強調表示で、項目Ｃ´は赤色の強調表示の点滅表示で、それぞれ示される。図１４（ｂ）中では、赤色の強調表示である項目Ｃはハッチング表示で、赤色の強調表示の点滅表示である項目Ｃ´はハッチング＋点滅表示で、それぞれ示している。
【００５６】
加えて、図１４（ｂ）に示す監視画面３０１には、項目Ａ´´も示されている。項目Ａ´´は、前述した項目Ａ´と共に、図１２中のステップＳ１０４で項目Ａの関連項目として抽出された項目である。したがって、情報処理部１０６ａは、図１２中のステップＳ１０９で図１３に示す表示態様ファイル２５１を参照し、項目Ａ´´については「赤＋点滅」というプロパティを設定する。その結果、図１４（ｂ）に示すように、項目Ａ´´の名称３０１ｂ及びセンシング値３０１ｃは、赤の点滅表示という他の項目と異なる態様で表示されている。図１４（ａ）に示す監視画面３０１では、項目Ａ´´は太線＋点滅表示で示している。
【００５７】
したがって、図５に示す基準値セットデータ２０１ｃ中の異常と判定すべき条件２０１ｃ−４を参照して図１２の中のステップＳ１０４で抽出された関連項目については、ページが異なってもどの項目の関連項目なのかが分かる態様で示される。図１４（ｂ）では、異常項目とすべき項目についてのみ例示したが、正常項目とすべき項目についても同様にページを跨ってどの項目が関連項目なのかが分かる態様で示される。
【００５８】
次いで、本発明の別の実施の一形態を図１５及び図１６に基づいて説明する。本実施の形態は、監視画面３０１に表示される各項目のセンシング値３０１ｃについて、基準値範囲（図５中の基準値範囲２０１ｃ参照）に収まっているのか、基準値範囲を外れているが正常とすべき値なのか、基準値範囲を外れている上に異常とすべき値なのかを一目瞭然で分からせる監視画面３０１を提供する別の一例である。図１ないし図１４に基づいて説明した部分と同一部分は同一符号で示し説明も省略する。
【００５９】
図１５は、各項目の表示態様を決定する際に参照すべき表示態様ファイル２５１の別の一例を示す模式図である。表示態様ファイル２５１は、正常項目２５１ａでの文字のプロパティと正常項目とする項目２５１ｂでの文字のプロパティと異常項目とする項目２５１ｃでの文字のプロパティとを規定している。正常項目２５１ａについては、文字のプロパティとして「黒」という色が規定されている。正常項目とする項目２５１ｂでの文字のプロパティは「赤＋強調表示」に、異常項目とする項目２５１ｃでの文字のプロパティは「赤」に、それぞれ規定されている。
【００６０】
図１６は、図１５に例示する表示態様ファイル２５１に従った画面表示の一例を示す模式図である。
【００６１】
図１６（ａ）に示す監視画面３０１は、操作盤１０７によってタービン「１／２」が選択指定された結果として表示されるタービン（その一）の各部のセンシング値３０１ｃを示している（図９中のタービンの表示例（その一）参照）。その監視画面３０１には、項目Ａと項目Ｂとが示されている。項目Ａは、三項目示されており、それぞれ、図１２中のステップＳ１０６で異常とすべきであると判定された項目である。したがって、情報処理部１０６ａは、図１２中のステップＳ１０９で図１５に示す表示態様ファイル２５１を参照し、項目Ａについては「赤」というプロパティを設定する。また、項目Ｂは、図１２中のステップＳ１０６で異常とすべきでないと判定された項目である。したがって、情報処理部１０６ａは、図１２中のステップＳ１０９で図１５に示す表示態様ファイル２５１を参照し、項目Ｂについては「赤＋強調」というプロパティを設定する。その他の項目は正常項目なので、図１５に示す表示態様ファイル２５１に基づいて「黒」というプロパティが例えばデフォルト設定されている。その結果、図１６（ａ）に示すように、項目Ａ、項目Ｂの名称３０１ｂ及びセンシング値３０１ｃは、他の項目と異なる態様で表示されている。つまり、項目Ａは赤色で、項目Ｂは赤色の強調表示で、それぞれ示される。図１６（ａ）中では、赤色である項目Ａは太線表示で、赤色の強調表示である項目Ｂはハッチング表示で、それぞれ示している。
【００６２】
図１６（ｂ）に示す監視画面３０１では、関連項目画面３１１がポップアップ表示されている。情報処理部１０６ａは、図１６（ａ）に示す監視画面３０１中、異常項目とする項目（項目Ａ）又は正常項目とする項目（項目Ｂ）が選択指定され、例えば操作盤１０７を用いてのダブルクリック操作がなされると、選択指定された当該項目の関連項目についての説明を含む関連項目画面３１１をポップアップ表示する。ここでの関連項目は、図１２中のステップＳ１０４の処理によって抽出された関連項目である。そして、情報処理部１０６ａは、関連項目画面３１１に、選択指定された項目（項目Ａ又は項目Ｂ）である選択項目３１１ａと、抽出した関連項目を表示する関連項目３１１ｂと、原因３１１ｃとを体系的に表示する。選択項目３１１ａ及び関連項目３１１ｂには、基準データファイル２０１のテキストデータ２０１ｂから引用する項目名とそのセンシング値とを表示する。原因３１１ｃには、表１〜表５に例示した「判断要素」を表示する。
【００６３】
したがって、本実施の形態によれば、監視画面３０１を監視するオペレータに、監視画面３０１に表示される各項目のセンシング値３０１ｃについて、基準値範囲（図５中の基準値範囲２０１ｃ参照）に収まっているのか、基準値範囲を外れているが正常とすべき値なのか、基準値範囲を外れている上に異常とすべき値なのかを、一目瞭然で知らせることができる。そして、異常項目とする項目（項目Ａ）又は正常項目とする項目（項目Ｂ）については、関連項目画面３１１をポップアップ表示可能とし、関連項目画面３１１に含まれている原因３１１ｃの欄に表示されるその原因と共にオペレータに示すことができる。
【００６４】
次いで、本発明の更に別の実施の一形態を図１７及び図１８に基づいて説明する。本実施の形態は、監視画面３０１に表示される各項目のセンシング値３０１ｃについて、基準値範囲（図５中の基準値範囲２０１ｃ参照）に収まっているのか、基準値範囲を外れているが正常とすべき値なのか、基準値範囲を外れている上に異常とすべき値なのかを一目瞭然で分からせる監視画面３０１を提供する更に別の一例である。図１ないし図１４（最初の実施の形態）、図１５及び図１６（二つ目の実施の形態）に基づいて説明した部分と同一部分は同一符号で示し説明も省略する。
【００６５】
図１７は、関連項目の一覧リスト表示処理の流れを示すフローチャートである。情報処理部１０６ａは、現在表示中の監視画面３０１に表示している各項目について、関連項目の有無を判定する（ステップＳ２０１）。この判定は、図１２中のステップＳ１０４で関連項目データが抽出されたかどうかをもってなされる。関連項目がないと判定されれば、そのまま処理を終了する。これに対して、情報処理部１０６ａは、関連項目ありを判定すると（ステップＳ２０１のＹ）、関連項目ありをポップアップ表示する処理を実行する（ステップＳ２０２）。
【００６６】
図１８は、図１５に例示する表示態様ファイルに従った画面表示の一例を示す模式図であり、（ａ）は図１７のフローチャート中のステップＳ２０２に従い表示される画面表示の一例を示す模式図、（ｂ）は図１７のフローチャート中のステップＳ２０４に従い表示される画面表示の一例を示す模式図である。情報処理部１０６ａは、図１７のステップＳ２０２で関連項目ありをポップアップ表示する処理を実行することで、監視画面３０１に質問画面３２１をポップアップ表示する。質問画面３２１には、「関連項目があります。関連項目一覧リストを表示しますか？」というメッセージ３２１ａが表示され、「はい」と「いいえ」という操作盤１０７による選択指定可能なオブジェクトである選択ボタン３２１ｂが表示される。
【００６７】
図１７のフローチャートの説明に戻る。情報処理部１０６ａは、図１８（ａ）に示す監視画面３０１において、質問画面３２１中の「はい」という選択ボタン３２１ｂが操作盤１０７によって選択指定されると、関連項目一覧リストの表示指定ありを判定する（ステップＳ２０３のＹ）。そして、関連項目一覧リストを生成してポップアップ表示し（ステップＳ２０４）、処理を終了する。
【００６８】
その結果、図１８（ｂ）に示すように、監視画面３０１に関連項目一覧リスト３３１がポップアップ表示される。情報処理部１０６ａは、関連項目一覧リスト３３１に、正常と判定すべき項目及び異常と判定すべき項目の全てを網羅する項目３３１ａに対応させて、個々の項目３３１ａ毎に抽出した関連項目を表示する関連項目３１１ｂと原因３１１ｃとを体系的に表示する。この場合、項目３３１ａに表示する対象項目は、監視画面３０１に現在表示されているページ、図１８の例ではタービン「１／２」のみならず、全てのページ中の項目である。そして、項目３３１ａ及び関連項目３３１ｂには、基準データファイル２０１のテキストデータ２０１ｂから引用する項目名とそのセンシング値とを表示する。原因３３１ｃには、表１〜表５に例示した「判断要素」を表示する。
【００６９】
したがって、本実施の形態によれば、監視画面３０１を監視するオペレータに、監視画面３０１に表示される各項目のセンシング値３０１ｃについて、基準値範囲（図５中の基準値範囲２０１ｃ参照）に収まっているのか、基準値範囲を外れているが正常とすべき値なのか、基準値範囲を外れている上に異常とすべき値なのかを、一目瞭然で知らせることができる。そして、異常項目とする項目（項目Ａ）又は正常項目とする項目（項目Ｂ）については、関連項目一覧リスト３３１をポップアップ表示可能とし、原因３３１ｃの欄に表示されるその原因と共にオペレータに示すことができる。
【図面の簡単な説明】
【００７０】
【図１】本発明の実施の一形態を示すプラント監視業務支援装置及びその周辺機器のブロック図である。
【図２】記憶部に記憶されているプラント（ボイラ）の各部についての基準値等のデータを含む基準データファイルを例示する模式図である。
【図３】記憶部に記憶されているプラント（タービン）の各部についての基準値等のデータを含む基準データファイルを例示する模式図である。
【図４】記憶部に記憶されているプラント（電気系）の各部についての基準値等のデータを含む基準データファイルを例示する模式図である。
【図５】基準データファイルに含まれている基準値セットデータの詳細を例示する模式図である。
【図６】表示盤（表示装置）に表示されるプラントの各部のセンシング値の監視画面の一例を示す模式図である。
【図７】表示盤（表示装置）に表示されるプラント（ボイラ）の各部のセンシング値の表示例（その一）を示す模式図である。
【図８】表示盤（表示装置）に表示されるプラント（ボイラ）の各部のセンシング値の表示例（その二）を示す模式図である。
【図９】表示盤（表示装置）に表示されるプラント（タービン）の各部のセンシング値の表示例（その一）を示す模式図である。
【図１０】表示盤（表示装置）に表示されるプラント（タービン）の各部のセンシング値の表示例（その二）を示す模式図である。
【図１１】表示盤（表示装置）に表示されるプラント（電気系）の各部のセンシング値の表示例を示す模式図である。
【図１２】各項目の表示態様を設定する処理の流れを示すフローチャートである。
【図１３】各項目の表示態様を決定する際に参照すべき表示態様ファイルの一例を示す模式図である。
【図１４】図１３に例示する表示態様ファイルに従った画面表示の一例を示す模式図である。
【図１５】各項目の表示態様を決定する際に参照すべき表示態様ファイルの別の一例を示す模式図である。
【図１６】図１５に例示する表示態様ファイルに従った画面表示の一例を示す模式図である。
【図１７】関連項目の一覧リスト表示処理の流れを示すフローチャートである。
【図１８】図１５に例示する表示態様ファイルに従った画面表示の一例を示す模式図であり、（ａ）は図１７のフローチャート中のステップＳ２０２に従い表示される画面表示の一例を示す模式図、（ｂ）は図１７のフローチャート中のステップＳ２０４に従い表示される画面表示の一例を示す模式図である。
【符号の説明】
【００７１】
１０６ａ  情報処理部
１０７    操作盤（操作装置）
１０８    表示盤（表示装置）
３３１    関連項目一覧リスト（一覧リスト）
【図１】
2008181269.tif 000008
【図２】
2008181269.tif 000009
【図３】
2008181269.tif 000010
【図４】
2008181269.tif 000011
【図５】
2008181269.tif 000012
【図６】
2008181269.tif 000013
【図７】
2008181269.tif 000014
【図８】
2008181269.tif 000015
【図９】
2008181269.tif 000016
【図１０】
2008181269.tif 000017
【図１１】
2008181269.tif 000018
【図１２】
2008181269.tif 000019
【図１３】
2008181269.tif 000020
【図１４】
2008181269.tif 000021
【図１５】
2008181269.tif 000022
【図１６】
2008181269.tif 000023
【図１７】
2008181269.tif 000024
【図１８】
2008181269.tif 000025